(57)【要約】【課題】光源電源回路及び該回路用のＥＭＩフィルタを提供する。【解決手段】入力整流器の後のＥＭＩフィルタ・コンデンサと直列にデプリーション型電界効果トランジスタを接続して、ＥＭＩの濾波作用を可能にし、且つフェーズカット調光器回路を介して電力供給するときにトライアックをスイッチングする際の容量性電流を制限する。【選択図】図１
2014514687.tif 000002
【特許請求の範囲】
【請求項１】
少なくとも１つの光源に電力供給するための回路であって、
ＡＣ入力電力を受け取るためのＡＣ入力端子、並びに整流ＤＣ電力を供給するための第１及び第２のＤＣ出力端子を持つ整流器回路と、
前記整流器回路の前記ＤＣ出力端子に結合された第１及び第２のフィルタ入力端子、並びに第１及び第２のフィルタ出力端子を持つＥＭＩフィルタ回路であって、
（１）前記整流器回路の前記第１のＤＣ出力端子に結合された第１の端子を持つフィルタ・キャパシタンス、
（２）前記フィルタ・キャパシタンスの第２の端子に結合された第１のソース／ドレイン端子、前記整流器回路の前記第２のＤＣ出力端子に結合された第２のソース／ドレイン端子、及び前記整流器回路の前記第２のＤＣ出力端子に結合されたゲート端子を有する電界効果トランジスタ、並びに
（３）前記整流器回路の前記第１のＤＣ出力端子に結合された第１の端子、及び前記第１のフィルタ出力端子に結合された第２の端子を持つインダクタンス、
を有しているＥＭＩフィルタ回路と、
前記フィルタ出力端子（１０２ａ、１０２）に結合されたＤＣ入力端子を持つ少なくとも１つのＤＣ−ＤＣ変換器回路を有していて、少なくとも１つの光源に電力を直接に又は間接的に供給するように動作する電力変換回路と、
を有する、少なくとも１つの光源に電力供給するための回路。
【請求項２】
前記電力変換回路は、少なくとも１つのＬＥＤ光源を駆動するためにＤＣ出力を供給するように動作する、請求項１記載の回路。
【請求項３】
前記電力変換回路は、前記少なくとも１つのＤＣ−ＤＣ変換器回路からＤＣ出力を受け取って、少なくとも１つの蛍光ランプに電力供給するためのＡＣ出力を供給するインバータを有している、請求項１記載の回路。
【請求項４】
前記電界効果トランジスタはデプリーション型電界効果トランジスタである、請求項１記載の回路。
【請求項５】
前記電界効果トランジスタはデプリーション型Ｎチャンネル電界効果トランジスタであり、その場合、前記フィルタ・キャパシタンスの前記第１の端子が前記整流器回路の正のＤＣ出力端子に結合され、また前記第２のソース／ドレイン端子及び前記ゲート端子が前記整流器回路の負のＤＣ出力端子に結合されている、請求項４記載の回路。
【請求項６】
前記電力変換回路は、少なくとも１つのＬＥＤ光源を駆動するためにＤＣ出力を供給するように動作する、請求項５記載の回路。
【請求項７】
前記電力変換回路は、前記少なくとも１つのＤＣ−ＤＣ変換器回路からＤＣ出力を受け取って、少なくとも１つの蛍光ランプに電力供給するためのＡＣ出力を供給するインバータを有している、請求項５記載の回路。
【請求項８】
前記電界効果トランジスタはデプリーション型Ｐチャンネル電界効果トランジスタであり、その場合、前記フィルタ・キャパシタンスの前記第１の端子が前記整流器回路の負のＤＣ出力端子に結合され、また前記第２のソース／ドレイン端子及び前記ゲート端子が前記整流器回路の正のＤＣ出力端子に結合されている、請求項４記載の回路。
【請求項９】
前記電界効果トランジスタはエンハンスメント型電界効果トランジスタである、請求項１記載の回路。
【請求項１０】
前記ＥＭＩフィルタ回路は、前記電界効果トランジスタに結合されて、前記ゲート端子にバイアス電圧を供給するバイアス回路を有している、請求項９記載の回路。
【請求項１１】
前記電界効果トランジスタは、Ｎチャンネル・エンハンスメント型電界効果トランジスタであり、その場合、前記フィルタ・キャパシタンスの前記第１の端子が前記整流器回路の正のＤＣ出力端子に結合され、また前記電界効果トランジスタの前記第２のソース／ドレイン端子が前記整流器回路の負のＤＣ出力端子に結合されており、更に、
前記バイアス回路は、
（１）前記電界効果トランジスタの前記ゲート端子と正の供給電圧との間に結合された第１の抵抗器、及び
（２）前記電界効果トランジスタの前記ゲート端子と前記整流器回路の前記負のＤＣ出力端子との間に結合された第２の抵抗器
を有している、請求項１０記載の回路。
【請求項１２】
前記ＥＭＩフィルタ回路は、前記電界効果トランジスタの前記第２のソース／ドレイン端子と前記整流器回路の前記負のＤＣ出力端子との間に結合された第３の抵抗器を有している、請求項１１記載の回路。
【請求項１３】
前記電力変換回路は、少なくとも１つのＬＥＤ光源を駆動するためにＤＣ出力を供給するように動作する、請求項９記載の回路。
【請求項１４】
前記電力変換回路は、前記少なくとも１つのＤＣ−ＤＣ変換器回路からＤＣ出力を受け取って、少なくとも１つの蛍光ランプに電力供給するためのＡＣ出力を供給するインバータを有している、請求項９記載の回路。
【発明の詳細な説明】
【技術分野】
【０００１】
本発明は、ＥＭＩフィルタ用のピーク電流制限器を持つ照明用電源回路に関するものである。
【背景技術】
【０００２】
照明システム用の従来の電子式電源回路は、屡々、正のＤＣ枝路にインダクタと、入力整流器のＤＣ出力端子間に接続されたコンデンサとを持っていて、低域通過フィルタとして動作するフィルタ回路を用いている。このフィルタ回路は、電力変換スイッチングによって引き起こされる高周波電磁干渉（ＥＭＩ）が電力線路に達するのを抑制する。このような装置は、電子式安定器又はＬＥＤ駆動装置と直列に接続されたトライアック装備の壁取付け又は卓上調光器回路と共に使用することができる。このような調光器は、所謂「フェーズカット(phase cut) 」調光能力を提供し、この場合、光出力を低減するために、線路のＡＣ波形の一部分が本質的に各ＡＣサイクルにおいて除去される。
【０００３】
コンパクト蛍光ランプ（ＣＦＬ）及びＬＥＤランプのような電子回路一体型ランプは、白熱電球用に設計された従来のランプの代わりに使用することができ、また光出力をフェーズカット調光（トライアック制御）によって調節できるようにする調光回路を含むことができる。しかしながら、このような調光制御におけるトライアックの動作は、ＥＭＩフィルタのコンデンサの両端間の電圧に急速なステップ上の変化を生じさせて、該コンデンサ及び電力線路に電流スパイクを引き起こす。これは、ＥＭＩフィルタのコンデンサを劣化させることがあり、また調光回路のトライアックを損傷することがある。
【０００４】
このような電流スパイクを制限する以前の試みでは、ＥＭＩフィルタ・コンデンサと直列に抵抗を接続している。しかしながら、設備によっては、多数のこのような電子式駆動装置又は安定器が共通の（共用の）壁取付け調光器で作動されている。このような場合、一体の電流制限抵抗器を備えていても、個々の照明装置によって発生されるピーク電流は、場合によっては３〜８アンペアほどの大きさになることがあり、これらの電流は調光器で加算され、これによって潜在的にトライアックの損傷又は劣化を招く。従って、非調光用途において必要とされる濾波作用を提供すると共に、フェーズカット調光器を持つ回路において調光器トライアックを損傷又は劣化させることなく動作することのできる照明システム用の改良ＥＭＩフィルタが、依然として必要とされている。
【発明の概要】
【０００５】
本発明は照明システム電源回路を提供し、該回路では、入力整流器から整流ＤＣ電力をＤＣ出力端子を介してＥＭＩフィルタ回路へ供給する。或る特定の実施形態では、該電源回路はＬＥＤ駆動装置回路を形成し、この場合、電力変換回路が、少なくとも１つのＬＥＤ光源を駆動するためにＤＣ出力を供給するように動作する。他の実施形態では、電子式安定器が提供され、その場合、電力変換回路が、ＤＣ−ＤＣ変換器からＤＣ出力を受け取って、蛍光ランプに電力供給するためのＡＣ出力を供給するインバータ（逆変換器）を含む。フィルタは、１つ以上の光源に直接に又は間接的に電力を供給する少なくとも１つのＤＣ−ＤＣ変換器を持つ電力変換回路に接続された出力端子を持つ。ＥＭＩフィルタ回路は、第１の整流器ＤＣ出力端子に結合された第１の端子を持つフィルタ・キャパシタンスを有すると共に、電界効果トランジスタ（ＦＥＴ）及びインダクタンスを有する。インダクタンスは第１の整流器ＤＣ出力端子と第１のフィルタ出力端子との間に結合される。トランジスタは、制御ゲート及び２つのソース／ドレイン端子を有し、第１のソース／ドレイン端子がフィルタ・キャパシタンスの第２の端子と結合される。ゲート端子及び第２のソース／ドレインが第２の整流器ＤＣ出力端子に結合される。
【０００６】
或る特定の実施形態では、電界効果トランジスタはデプリーション型装置であり、制御ゲート及び第２のソース／ドレインが整流器の第２のＤＣ出力端子に一緒に接続される。或る特定の実施形態では、Ｎチャンネル電界効果トランジスタが使用され、この場合、フィルタ・コンデンサ端子が正の整流器ＤＣ出力端子に結合され、また第２のソース／ドレイン端子及びゲート端子が負の整流器端子に結合される。他の実施形態では、Ｐチャンネル・デプリーション型トランジスタが用いられ、この場合、コンデンサ端子が負の整流器出力に結合され、また第２のソース／ドレイン及びゲートが正の整流器出力に結合される。
【０００７】
或る特定の実施形態では、エンハンスメント型電界効果トランジスタが用いられ、この場合、バイアス回路が電界効果トランジスタに結合されて、ゲート端子にバイアス電圧を供給する。実施形態によっては、Ｎチャンネル装置が用いられて、第１のコンデンサ端子が正の整流器出力に結合され、その場合、第２のトランジスタ・ソース／ドレインが負のＤＣ整流器端子に直接に又は間接的に結合される。バイアス回路は、実施形態によっては、トランジスタ・ゲートと正の供給電圧との間に結合された第１の抵抗器、並びにゲートと負の整流器出力との間に結合された第２の抵抗器を含む。或る特定の実施形態では、第３の抵抗器が第２のソース／ドレインと負の整流器ＤＣ出力端子との間に結合される。
【０００８】
１つ以上の模範的な実施形態を以下の詳細な説明及び図面において記述する。
【図面の簡単な説明】
【０００９】
【図１】図１は、本発明の１つ以上の面に従った、フィルタ・コンデンサに直列に結合されたＮチャンネル・デプリーション型ＦＥＴを持つＥＭＩフィルタ段を備えた模範的なＬＥＤ駆動装置を例示する回路図である。
【図２】図２は、ＥＭＩフィルタ・コンデンサに直列に結合されたＮチャンネル・デプリーション型ＦＥＴを含んでいる、１つ以上の蛍光ランプに電力供給するための模範的な電子式安定器を例示する回路図である。
【図３】図３は、図１又は図２の駆動装置又は安定器に、調光動作のためのフェーズカット調光器を接続した例を示す回路図である。
【図４】図４は、図１及び図２のＮチャンネル・デプリーション型ＦＥＴについての幾つかの模範的なドレイン−ソース電流曲線をゲート−ソース電圧の関数として例示するグラフである。
【図５】図５は、ＥＭＩフィルタ・コンデンサに直列に結合されたＰチャンネル・デプリーション型ＦＥＴを含んでいる、図１又は図２の電源回路に用いることのできる別の模範的なＥＭＩフィルタ回路を例示する回路図である。
【図６】図６は、本発明に従った、抵抗バイアス回路を備えたＮチャンネル・デプリーション型ＦＥＴを含む別の実施形態のＥＭＩフィルタを例示する回路図である。
【発明を実施するための形態】
【００１０】
次いで図面を参照して説明するが、全体を通じて同様な要素は同様な参照符号を用いて表しており、また様々な機能部は必ずしも縮尺通りに描いていない。図１及び図２は、照明装置に電力供給するための２つの模範的な電子式電源回路１００を例示する。これらの電源回路１００の各々は、外部源から信号又は多相ＡＣ入力電力を受け取る入力整流器１０１と、整流器１０１のＤＣ側に結合されたＥＭＩフィルタ１０２とを含む。整流器回路１０１は、或る特定の実施形態では、単相入力の場合はブリッジ回路に形成された４つのダイオード整流器を含み、或いは多相入力の場合は６つ以上の整流器を含む全波整流器型の回路である。他の実施形態では、整流器回路１０１は半波整流器又は単一のダイオードとすることができる。
【００１１】
図１及び図２の回路１００はまた電力変換回路１１０を含み、この電力変換回路１１０は、少なくとも１つの光源１０８に直接に又は間接的に電力供給するために１つ以上のＤＣ−ＤＣ変換器を含む。図１の例では、回路１００はＬＥＤ駆動装置であり、電力変換回路１１０は昇圧型ＤＣ−ＤＣ変換器段１０４とそれに続くバック(buck)ＤＣ−ＤＣ変換器１０６とを含み、１つ以上のＬＥＤ照明装置１０８を駆動するためにＤＣ出力を供給する。第２の回路１０６には、隔離変圧器を備えたフライバック変換器、バック・ブースト変換器などのような、他の形式のＤＣ−ＤＣ変換器を使用することができる。他の可能性のあるＬＥＤ駆動装置構成では、昇圧変換器１００４がインバータ（図示せず）にＤＣを供給し、次いで該インバータが隔離変圧器一次巻線を駆動し、その二次巻線が、ＬＥＤ配列に接続された出力整流器を駆動する。図２の回路１００は電子式安定器を形成し、これは、昇圧変換器１０４からＤＣ出力を受け取って、１つ以上の蛍光ランプ１０８に電力供給するためのＡＣ出力を供給するインバータ１０７を含む。或る特定の実施形態では、複数のＤＣ−ＤＣ変換器段の内の１つを省略することができ、また実施形態によっては、最初のＤＣ−ＤＣ変換器段１０４が力率補正機能を提供するように動作する。更に、変換器段１０４，１０６，１０７の内の１つ以上は、調光入力（図示せず）に基づいて（１つ又は複数の）光源１０８に印加される出力電力を加減する調光制御を提供することができる。
【００１２】
更に、前に述べたように且つ図３に示されているように、駆動装置又は安定器１００は単相ＡＣ源から電力供給を受けることができ、またＡＣ源及び駆動装置１００と直列に結合されたフェーズカット調光器２００により調光制御を行うことができる。調光器２００はトライアックＴ２０１を含み、トライアックＴ２０１は、ユーザー調節可能な抵抗Ｒ２０１に従って光出力を加減するためにＡＣ源１０１の各サイクルの一部分の電流の流れを選択的に切断又は中断する（フェーズカット）。或る特定の実施形態では、駆動装置又は安定器回路１００は、ＡＣ入力端子と共にエジソン口金を持つ構造の中に収容することができる。
【００１３】
図１及び図２に示されているように、整流器回路１０１は、ＡＣ入力電力を受け取るために外部源に接続するためのＡＣ入力端子を持ち、また整流ＤＣ出力を第１及び第２のＤＣ出力端子１０１ａ及び１０１ｂに供給する。この整流器出力１０１ａ，１０１ｂは、ＥＭＩフィルタ回路１０２の第１及び第２の入力端子に結合される。フィルタ回路１０２は、次に、最初の（例えば、昇圧）ＤＣ−ＤＣ変換器１０４へＤＣ入力を供給するために結合された出力端子１０２ａ及び１０２ｂを含む。昇圧変換器１０４の出力はバック変換器１０６の入力にＤＣ電力を供給し、そのバック変換器１０６の出力は、（１つ又は複数の）ＬＥＤ光源１０８（例えば、図１）を直接に駆動するために使用され、或いは、昇圧変換器の出力は、インバータ（図２）を介して１つ以上の蛍光ランプ１０８に間接的に電力供給するために使用される。
【００１４】
図１及び図２中のＥＭＩフィルタ回路１０２は、上側（正の）ＤＣ枝路中に結合されたインダクタＬ１と、上側及び下側の整流器出力端子１０１ａ及び１０１ｂの間に延在する回路枝路中にＮチャンネル・デプリーション型電界効果トランジスタ（ＦＥＴ）Ｑ１と直列に接続されたコンデンサＣ１とを含む。図１及び図２の実施形態では、フィルタ・キャパシタンスＣ１は、正のＤＣ整流器出力端子に結合された第１の端子と、ＦＥＴ装置Ｑ１の第１のソース／ドレイン端子ＳＤ１に接続された第２の端子とを持ち、インダクタＬ１が正のＤＣ整流器出力１０１ａと上側のフィルタ出力端子１０２ａとの間に延在する。Ｑ１の他のソース／ドレイン端子ＳＤ２は整流器回路１０１の負のＤＣ出力端子１０１ｂに接続され、またＦＥＴゲート端子Ｇも同様に接続される。
【００１５】
動作について説明すると、フィルタ回路１０２は、整流器１０１に完全に正弦波状のＡＣ入力電力を印加することによる動作中にＥＭＩ濾波作用を行う。或る特定の模範的な実施形態では、インダクタＬ１がほぼ２５ｍＨのインダクタンスを持ち、これは、約１５０ＫＨｚのＥＭＩ電流を比較的小さく（例えば、約１０〜２０ｍＡのＥＭＩ電流に）するほどに充分大きく、またＥＭＩフィルタ・コンデンサが約１５ｎＦであり、これにより、ＥＭＩ濾波作用は、約１５０ＫＨｚ以上の干渉周波数について理想的に低域通過濾波作用を提供する。これに関連して、Ｃ１のキャパシタンスを増大すると、回路１０２のＥＭＩ濾波能力を有利に改善できると考えられる。しかしながら、駆動装置又は安定器１００がフェーズカット調光器２００（例えば、図３）を介して電力線路に接続されている状況では、Ｃ１のキャパシタンスをより大きくすると、本書に記載の対処手段を設けていない場合には、調光用トライアックＴ２０１のサイクル中間での点弧により生じる電流スパイクの大きさが悪化する。
【００１６】
図４のグラフ４００を参照して説明すると、所望の濾波能力を提供しながら、これらの電流スパイクに対処するため、図１及び図２中のフィルタ回路１０２は、フィルタ・コンデンサＣ１と直列のＦＥＴ装置Ｑ１によりインピーダンスを提供する。デプリーション型装置Ｑ１は、非フェーズカット動作の場合、通常オン（ドレイン−ソース・チャンネルが導電状態）であり、また直列のドレイン−ソース間抵抗ＲＤＳONがグラフ４００に例示されており、グラフ４００はＱ１についてゲート−ソース電圧ＶGSの関数としてドレイン−ソース電流曲線（ＩDS）を示す。図１及び図２の実施形態におけるＦＥＴ装置がデプリーション型装置であるので、Ｑ１は負の閾値電圧ＶT を持ち、且つゲート及びソースが一緒に短絡されたとき非ゼロ電流（一例では約３００〜４００ｍＡ）を導く。図４に示されているように、ＶGSの値が高くなると、それに対応してチャンネル電流のレベルＩDSが高くなる。更に、ＶGSがゼロの場合、ドレイン−ソース・チャンネルのインピーダンスが、チャンネル電圧ＶDSのレベルの増加につれて実効的に増大する。一実施形態では、Ｑ１は、コンデンサのリアクタンス（１／ωＣ）の約１/３〜１/２のゼロＶGSでのデプリ−ション・モードで約２〜１０ΩのＲＤＳONを持つように選ばれる。この場合、ωは、電力変換器段１１０のスイッチング周波数に関連して１５０ＫＨｚである。これは、電力変換回路１１０のＥＭＩに関して適切な濾波作用を行いながら、トライアックの点弧に関連した潜在的に損傷を起こす可能性のある電流スパイクを減衰させるインピーダンスを提供する。図１及び図２の例示した例では、トライアックＴ２０１が点弧したとき、Ｑ１はスパイク電流を約３００〜４００ｍＡに制限する。従って、複数の回路１００が共用の又は共通の調光器２００に接続されている場合でも、調光器電流は、本発明によるＥＭＩフィルタ１０２の無い場合（例えば、各安定器からの３〜６Ａのスパイク（これらのスパイク電流はトライアックＴ２０１で加算される））よりも遙かに小さい。
【００１７】
従って、デプリーション型ＦＥＴ装置Ｑ１がＥＭＩ濾波モードで動作しているとき、回路１０２は濾波作用を行い、そこで、トライアックＴ２０１が点弧したとき、ＦＥＴ装置Ｑ１は飽和状態から脱して、スパイク電流を数百ｍＡに制限する。このように、図１及び図２の設計ではコンデンサ回路中に固定抵抗器が無く、その代わりに、最大電流をクランプする可変インピーダンスが設けられる。一例では、２５０ボルト定格を持ち且つ約５Ωの定格ＲＤＳONを持つＮチャンネル・デプリーション型ＦＥＴ装置Ｑ１を使用することができる。ここで、ＦＥＴ装置Ｑ１の可変インピーダンスの使用により、Ｃ１のキャパシタンスの増大を容易にして、ＥＭＩ濾波作用の改善を容易にすることができると共に、ＦＥＴ装置Ｑ１が電流制限作用を行って、コンデンサ又はトライアックの劣化を軽減することができることに注意されたい。
【００１８】
図５は、駆動装置又は安定器型回路（例えば、上記の図１又は図２）に用いることのできる別の実施形態のＥＭＩフィルタ回路１０２を示す。この場合、Ｐチャンネル・デプリーション型ＦＥＴ装置Ｑ１が使用され、第１のソース／ドレインＳＤ１がＣ１の上側のコンデンサ端子に接続され、また他のソース／ドレインＳＤ２が上側の（正の）整流器ＤＣ出力端子１０１ａに接続される。この実施例では、ゲートがまた上側のＤＣ線路に接続され、また装置Ｑ１が、濾波作用及び電流スパイク保護のためにオン状態抵抗ＲＤＳON（例えば、約２〜１０Ω）を提供する。
【００１９】
また図６について説明すると、他の実施形態では、エンハンスメント型ＦＥＴ装置Ｑ１を使用することができ、図にはＮチャンネル装置が示されている。ゲート電圧を設定するためにバイアス回路が設けられ、この場合、バイアス回路は、ゲートＧと正のＤＣ電圧ＶＣＣ（例えば、一例では、１５ボルト）との間に接続された第１の抵抗器Ｒ１と、ゲートＧから下側の（負の）ＤＣ整流器出力へ接続された第２の抵抗器Ｒ２とを含む。一例では、Ｑ１の閾値電圧ＶT が約３ボルトである場合、ゲート電圧は回路Ｒ１，Ｒ２によって約４ボルトにバイアスされる。これまでの実施形態と同様に、このエンハンスメント型装置とコンデンサＣ１との直列接続は、濾波作用のためのＲＤＳON（例えば、約２〜１０Ω）を提供し、且つ及びＶDSが増大するにつれて電流スパイク保護を具現する。実施形態によっては、下側のソース／ドレインＳＤ１と下側のＤＣ端子１０１ｂの間に第３の抵抗器Ｒ３（一例として、２Ωの抵抗器）を設けて、コンデンサＣ１にほぼ５００ｍＡの電流が流れることができるようにすることができる。トライアックＴ２０１が点弧されたとき、この値を超えるような電流スパイクはＶGSを減少させ、これに対応して装置Ｑ１は電流の流れを減少させる。他の実施形態では、バイアス回路にツェナー・ダイオード（例えば、ＦＥＴゲートとアースとの間に約４Ｖのツェナー電圧ＶZ を持つ装置）を設けることができる。
【００２０】
上記の例は本発明の様々な面の幾つかの可能な実施形態を単に説明しているに過ぎず、当業者には、本明細書及び図面を読み且つ理解すれば等価な変更及び／又は修正が考えられよう。特に上述の構成要素（組合せ、装置、システム、回路など）によって遂行される様々な機能に関して、このように構成要素を記述するために用いられる様々な用語（「手段」を含む）は、特に別に明記されていない限り、それらが本発明の例示した具現例における機能を遂行する開示した構造と構造的に等価でない場合でも、記述した構成要素の特定の機能を遂行する（すなわち、機能的に等価である）任意の構成要素（例えば、ハードウエア、プロセッサ実行ソフトウエア、それらの組合せなど）に対応するものである。本発明の特定の特徴が幾つかの具現例の１つのみについて例示及び／又は記述されていることがあるが、このような特徴は、任意の又は特定の用途にとって望まれる又は有利であるように他の具現例の１つ以上の他の特徴と組み合わせることができる。また更に、数を明記しないで記載した要素又は項目は、別に特定していない限り、そのような要素又は項目を２つ以上含んでいることを表すものとする。また、明細書及び「特許Ｙ請求の範囲」の記載に「含んでいる」、「含む」、「持っている」、「持つ」、「備えた」などの用語が用いられているが、このような用語は用語「有する」と同様に包括的であるものとする。これまで本発明を好ましい実施態様について説明した。当業者にとって上述の詳しい説明を読んで理解したときに種々の修正及び変更を考え得ることは明らかである。本発明は、この様な全ての修正及び変更を包含するものとして解釈されるべきである。
【符号の説明】
【００２１】
１００  電子式電源回路
１０１  入力整流器
１０２  ＥＭＩフィルタ
１０４  昇圧型ＤＣ−ＤＣ変換器段
１０６  バックＤＣ−ＤＣ変換器
１０７  インバータ
１０８  光源
１１０  電力変換回路
２００  フェーズカット調光器
Ｑ１  電界効果トランジスタ
Ｔ２０１  トライアック
【図１】
2014514687.tif 000003
【図２】
2014514687.tif 000004
【図３】
2014514687.tif 000005
【図４】
2014514687.tif 000006
【図５】
2014514687.tif 000007
【図６】
2014514687.tif 000008
【国際調査報告】
2014514687.tif 000009
2014514687.tif 000010